(57)【要約】【課題】低コストでＩＰ電話の通話機能を実現できるネットワークファクシミリ装置を提供することを目的としている。【解決手段】ネットワークファクシミリ装置ＦＸにハンドセットＨＳを設け、ＩＰ電話通信に必要な信号変換のためのＣＯＤＥＣを備え、ネットワークファクシミリ装置ＦＸに元々備えられているネットワーク通信手段（ネットワークインターフェイス回路、ネットワーク伝送制御部）を用いて、ＩＰ電話通信を実現するので、ＩＰ電話通信機能を備えたネットワークファクシミリ装置ＦＸを安価に実現することができるという効果を得る。【選択図】　　　　図３
2004147244.tif 000002
【特許請求の範囲】
【請求項１】
ＩＰ網に接続し、ＩＰ網を介して画情報をやりとりするネットワークファクシミリ通信機能を備えたネットワークファクシミリ装置において、
通話のためのハンドセットと、
上記ハンドセットが入出力する音声信号を、ＩＰ電話に対応したデジタル音声信号に相互変換するためのＣＯＤＥＣを備え、
上記ハンドセットをＩＰ電話の通話手段として用いることを特徴とするネットワークファクシミリ装置。
【請求項２】
前記ＩＰ電話を使用する際の所定の複数のコールプログレストーンを生成し前記ＣＯＤＥＣに受け渡すＤＳＰをさらに備えたことを特徴とする請求項１記載のネットワークファクシミリ装置。
【請求項３】
アナログ公衆回線網へ接続し、アナログ公衆回線網を用いてファクシミリ通信を行うアナログファクシミリ通信機能と、ＩＰ網に接続し、ＩＰ網を介して画情報をやりとりするネットワークファクシミリ通信機能を備えたネットワークファクシミリ装置において、
通話のためのハンドセットを備え、
上記アナログファクシミリ通信機能のグループ３ファクシミリモデムのＣＯＤＥＣを、上記ハンドセットが入出力する音声信号をＩＰ電話に対応したデジタル音声信号に相互変換するためのＣＯＤＥＣとして機能させ、
上記ハンドセットをＩＰ電話の通話手段として用いることを特徴とするネットワークファクシミリ装置。
【請求項４】
前記グループ３ファクシミリモデムのＣＯＤＥＣの音声符号化方式を可逆性のＰＣＭ方式としたことを特徴とする請求項３記載のファクシミリ装置。
【請求項５】
アナログ公衆回線網へ接続し、アナログ公衆回線網を用いてファクシミリ通信を行うアナログファクシミリ通信機能と、ＩＰ網に接続し、ＩＰ網を介して画情報をやりとりするネットワークファクシミリ通信機能を備えたネットワークファクシミリ装置において、
通話のためのハンドセットと、
上記ハンドセットが入出力する音声信号を、ＩＰ電話に対応したデジタル音声信号に相互変換するためのＣＯＤＥＣと、
上記ハンドセットを、アナログ公衆回線網と、上記ＣＯＤＥＣに切換接続する切換手段を備え、
上記アナログ公衆回線網を用いて通話するときには、上記切換手段により上記ハンドセットをアナログ公衆回線網へ接続する一方、ＩＰ電話として通話するときには、上記切換手段により上記ハンドセットを上記ＣＯＤＥＣへ接続し上記ハンドセットをＩＰ電話の通話手段として用いることを特徴とするネットワークファクシミリ装置。
【発明の詳細な説明】
【０００１】
【発明の属する技術分野】
本発明は、ＩＰ網に接続し、ＩＰ網を介して画情報をやりとりするネットワークファクシミリ通信機能を備えたネットワークファクシミリ装置、および、アナログ公衆回線網へ接続し、アナログ公衆回線網を用いてファクシミリ通信を行うアナログファクシミリ通信機能と、ＩＰ網に接続し、ＩＰ網を介して画情報をやりとりするネットワークファクシミリ通信機能を備えたネットワークファクシミリ装置に関する。
【０００２】
【従来の技術】
従来より、アナログ公衆回線網へ接続し、アナログ公衆回線網を用いてファクシミリ通信を行うアナログファクシミリ通信機能と、ＩＰ網に接続し、ＩＰ網を介して画情報をやりとりするネットワークファクシミリ通信機能を備えたネットワークファクシミリ装置が知られており、さらに、ＩＰ電話の通話機能も備えたものも提案されている（特許文献１参照）。
【０００３】
【特許文献１】
特開２０００−２２４３３３号公報
【０００４】
【発明が解決しようとする課題】
しかしながら、ネットワークファクシミリ装置にＩＰ電話の通話機能を備える場合、従来装置のように、ＩＰ網とネットワークファクシミリ装置などの端末の間に専用のアダプタが必要であり、システムが大がかりになるだけでなくコストも掛かる問題がある
【０００５】
本発明は、かかる実情に鑑みてなされたものであり、低コストでＩＰ電話の通話機能を実現できるネットワークファクシミリ装置を提供することを目的としている。
【０００６】
【課題を解決するための手段】
本発明は、ＩＰ網に接続し、ＩＰ網を介して画情報をやりとりするネットワークファクシミリ通信機能を備えたネットワークファクシミリ装置において、通話のためのハンドセットと、上記ハンドセットが入出力する音声信号を、ＩＰ電話に対応したデジタル音声信号に相互変換するためのＣＯＤＥＣを備え、上記ハンドセットをＩＰ電話の通話手段として用いるようにしたものである。
【０００７】
また、前記ＩＰ電話を使用する際の所定の複数のコールプログレストーンを生成し前記ＣＯＤＥＣに受け渡すＤＳＰをさらに備えたものである。
【０００８】
また、アナログ公衆回線網へ接続し、アナログ公衆回線網を用いてファクシミリ通信を行うアナログファクシミリ通信機能と、ＩＰ網に接続し、ＩＰ網を介して画情報をやりとりするネットワークファクシミリ通信機能を備えたネットワークファクシミリ装置において、通話のためのハンドセットを備え、上記アナログファクシミリ通信機能のグループ３ファクシミリモデムのＣＯＤＥＣを、上記ハンドセットが入出力する音声信号をＩＰ電話に対応したデジタル音声信号に相互変換するためのＣＯＤＥＣとして機能させ、上記ハンドセットをＩＰ電話の通話手段として用いるようにしたものである。
【０００９】
また、前記グループ３ファクシミリモデムのＣＯＤＥＣの音声符号化方式を可逆性のＰＣＭ方式としたものである。
【００１０】
また、アナログ公衆回線網へ接続し、アナログ公衆回線網を用いてファクシミリ通信を行うアナログファクシミリ通信機能と、ＩＰ網に接続し、ＩＰ網を介して画情報をやりとりするネットワークファクシミリ通信機能を備えたネットワークファクシミリ装置において、通話のためのハンドセットと、上記ハンドセットが入出力する音声信号を、ＩＰ電話に対応したデジタル音声信号に相互変換するためのＣＯＤＥＣと、上記ハンドセットを、アナログ公衆回線網と、上記ＣＯＤＥＣに切換接続する切換手段を備え、上記アナログ公衆回線網を用いて通話するときには、上記切換手段により上記ハンドセットをアナログ公衆回線網へ接続する一方、ＩＰ電話として通話するときには、上記切換手段により上記ハンドセットを上記ＣＯＤＥＣへ接続し上記ハンドセットをＩＰ電話の通話手段として用いるようにしたものである。
【００１１】
【発明の実施の形態】
以下、添付図面を参照しながら、本発明の実施の形態を詳細に説明する。
【００１２】
まず、本実施例では、ネットワークファクシミリ装置にＩＰ電話の通話機能を備える。
【００１３】
ここで、ＩＰ電話とは、インターネットなどのＩＰ網（パケット通信網）を利用するＴＴＣ標準ＪＴ−Ｈ３２３に準拠した通信アプリケーションの１つである。
【００１４】
このＴＴＣ標準ＪＴ−Ｈ３２３が規定する技術内容は、必ずしもサービス品質を保証しないパケットネットワークにおけるマルチメディア通信システムの技術要求条件が対象とされている。
【００１５】
また、パケットネットワークとしては、ローカルエリアネットワーク、企業エリアネットワーク、メトロポリタンエリアネットワーク、イントラネット、および、インターネットを含む相互接続されたネットワークなどを対象としている。
【００１６】
さらに、ＰＳＴＮやＩＳＤＮ上のポイント・ポイント接続またはダイアルアップ接続によるＰＰＰ等のパケット型伝送も含まれる。
【００１７】
また、これらの網は単一のセグメントからなる場合や、複数の網セグメントが相互接続されたような複雑なトポロジーを持つ場合もある。
【００１８】
また、ＴＴＣ標準ＪＴ−Ｈ３２３の通信システムには、ネットワークに含まれる端末装置間の呼制御を、ゲートキーパー装置を適用して行うようにした態様が含まれている。
【００１９】
ここで、ゲートキーパー装置は、「ネットワーク上にあって、パケットネットワーク上のＪＴ−Ｈ３２３端末および交換型回線網上のＴＴＣ端末間の、または他のＪＴ−Ｈ３２３ゲートウェイとの、リアルタイムの双方向通信を提供するエンドポイント」と定義されている。また、ここでいう他のＴＴＣ端末には、ＪＴ−Ｈ３１０（ＪＴ−Ｈ３２０のＢ−ＩＳＤＮへの適用）、　ＪＴ−Ｈ３２０（ＩＳＤＮ）、　ＪＴ−Ｈ３２１（ＡＴＭ）、　ＪＴ−Ｈ３２２（サービス品質（ＱｏＳ）保証型ＬＡＮ）、　ＪＴ−Ｈ３２４（ＧＳＴＮ（ＰＳＴＮを含む））、　ＪＴ−Ｈ３２４Ｍ（移動体通信）、およびＩＴＵ−Ｔ勧告Ｖ．７０（ＤＳＶＤ）に従う端末を含むと定義されている。
【００２０】
なお、ＪＴ−Ｈ３２３端末とは、ＴＴＣ標準ＪＴ−Ｈ３２３に準拠した通信機能を備えた通信端末である。また、本明細書中の記載において、ＴＴＣ標準番号、または、ＩＴＵ−Ｔ勧告番号が付与されて記載されている端末等は、それぞれのＴＴＣ標準またはＩＴＵ−Ｔ勧告に準拠した通信機能を備えた通信端末等を意味する。
【００２１】
以上のような技術背景をふまえ、本実施例にかかる端末装置は、例えば、図１あるいは図２に示したような通信ネットワークを構成する。
【００２２】
図１に示した通信ネットワークでは、ＩＰ網ＮＴに接続された端末装置ＴＭが、ゲートキーパー装置ＧＫの制御の元で、ゲートウェイ装置ＧＷを介し、アナログ公衆回線網ＰＮに接続された電話器ＴＬとの間で通話動作を行う。
【００２３】
また、図２に示した通信ネットワークでは、ＩＰ網ＮＴに複数の端末装置ＴＭ１〜ＴＭｍが接続され、ゲートキーパー装置ＧＫの制御の元で、相互にネットワークファクシミリ通信またはＩＰ電話機能による通話を行う。
【００２４】
また、これらの図における端末装置ＴＭ，ＴＭ１〜ＴＭｍは、ネットワークファクシミリ装置ＦＸ，ＦＸ１〜ＦＸｍと、ハンドセットＨＳ，ＨＳ１〜ＨＳｍから構成される。
【００２５】
ネットワークファクシミリ装置ＦＸの構成例を図３に示す。
【００２６】
同図において、システム制御部１は、このネットワークファクシミリ装置ＦＸの各部の制御処理、および、ファクシミリ伝送制御手順処理などの各種制御処理を行うものであり、システムメモリ２は、システム制御部１が実行する制御処理プログラムや処理プログラムを実行するときに必要な各種データなどを記憶し、システム制御部１のワークエリアを構成し、さらに、ＩＰ網からハンドセットＨＳへの音声パケットのゆらぎ（到着時間のばらつき）を吸収し、必要なパケット数が揃うようにして音声信号を送り出すゆらぎ吸収バッファを構成するものであり、パラメータメモリ３は、このネットワークファクシミリ装置ＦＸに固有な各種の情報を記憶するためのものであり、時計回路４は、現在時刻情報を出力するものである。
【００２７】
スキャナ５は、所定の解像度で原稿画像を読み取るためのものであり、プロッタ６は、所定の解像度で画像を記録出力するためのものであり、操作表示部７は、このネットワークファクシミリ装置ＦＸを操作するためのもので、各種の操作キー、および、各種の表示器からなる。
【００２８】
符号化復号化部８は、画信号を符号化圧縮するとともに、符号化圧縮されている画情報を元の画信号に復号化するためのものであり、画像蓄積装置９は、符号化圧縮された状態の画情報を多数記憶するためのものである。
【００２９】
ＣＯＤＥＣ１０は、ハンドセットＨＳとの間で、ハンドセットＨＳが入出力するアナログ音声信号と、ＩＰ電話機能でやりとりされるデジタル音声信号を相互に変換するものであり、音声符号化方式としては、例えば、ＰＣＭ方式の国際標準であるＩＴＵ−Ｔ勧告Ｇ．７１１，ＣＳ−ＡＣＥＬＰ（Ｃｏｎｊｕｇａｔｅ−Ｓｔｒｕｃｔｕｒｅ　Ａｌｇｅｂｒａｉｃ　Ｃｏｄｅ　Ｅｘｃｉｔｅｄ　Ｌｉｎｅａｒ　Ｐｒｅｄｉｃｔｉｏｎ）方式の国際標準であるＩＴＵ−Ｔ勧告Ｇ．７２９などが適用される。
【００３０】
ＤＳＰ１１は、発呼時の電話番号入力操作の際のＤＴＭＦ（Ｄｕａｌ　Ｔｏｎｅ　Ｍｕｌｔｉ　Ｆｒｅｑｕｅｎｃｙ）信号、および、ダイヤルトーン、リングバックトーン、ビジートーンなどのコールプログレストーンを生成するものであり、それらのＤＴＭＦ信号およびコールプログレストーンは、ＣＯＤＥＣ１０を介してハンドセットＨＳへと出力される。
【００３１】
ネットワークインターフェース回路１２は、このネットワークファクシミリ装置ＦＸをＩＰ網ＮＴに接続するためのものであり、ネットワーク伝送制御部１３は、ＩＰ網ＮＴを介して、他のデータ端末装置との間で種々のデータをやりとりするための各種所定のプロトコルスイートの通信制御処理を実行するためのものである。
【００３２】
これらの、システム制御部１、システムメモリ２、パラメータメモリ３、時計回路４、スキャナ５、プロッタ６、操作表示部７、符号化復号化部８、画像蓄積装置９、ＣＯＤＥＣ１０、ＤＳＰ１１、および、ネットワーク伝送制御部１３は、内部バス１４に接続されており、これらの各要素間でのデータのやりとりは、主としてこの内部バス１４を介して行われている。
【００３３】
また、ハンドセットＨＳのフック状態をあらわすフック信号ＳＳは、内部バス１４を介してシステム制御部１へ出力される。
【００３４】
ＩＰ電話機能を用いる場合、ハンドセットＨＳのマイク（図示略）から入力されたアナログ音声信号は、ＣＯＤＥＣ１０で対応するデジタル音声信号へ変換され、内部バス１４を介し、ネットワーク伝送制御部１３へ送られ、ネットワークインターフェース回路１２を介して、ＩＰ網ＮＴへと送出される。
【００３５】
また、ＩＰ網ＮＴより受信したデジタル音声信号は、ネットワークインターフェース回路１２を介してネットワーク伝送制御部１３で処理され、内部バス１４を介し、ＣＯＤＥＣ１０へ送出される。
【００３６】
そして、ＣＯＤＥＣ１０では、受信したデジタル音声信号を対応するアナログ音声信号へ変換し、その変換後のアナログ音声信号は、ハンドセットＨＳへ送り出され、ハンドセットＨＳのスピーカ（図示略）より音響信号として出力され、ユーザに聞き取られる。
【００３７】
図４は、ゲートキーパー装置を用いて端末装置の呼制御を行う場合の手順の一例を示している（ＴＴＣ標準ＪＴ−Ｈ３２３の図１０を参照）。
【００３８】
まず、発側エンドポイント（発側端末装置）ＥＰｃは、ゲートキーパー装置（群）ＧＫｓに対して、呼接続要求（発呼）ＡＲＱを送出する。ゲートキーパー装置（群）ＧＫｓは、その呼接続要求（発呼）を受け付けることができる場合には、応答ＡＣＦを発側エンドポイントＥＰｃへ送出し、その呼接続要求（発呼）を受け付けることができない場合には、応答ＡＲＪを発側エンドポイントＥＰｃへ送出する。
【００３９】
発側エンドポイントＥＰｃは、ゲートキーパー装置（群）ＧＫｓより応答ＡＣＦを受信した場合には、通信目標である着側エンドポイントＥＰｄに対して、所定の呼設定信号を送出する。
【００４０】
着側エンドポイントＥＰｄは、呼設定信号を受信すると、ゲートキーパー装置（群）ＧＫｓに対して、呼接続要求（着呼）ＡＲＱを送出する。ゲートキーパー装置（群）ＧＫｓは、その呼接続要求（着呼）を受け付けることができる場合には、応答ＡＣＦを着側エンドポイントＥＰｄへ送出し、その呼接続要求（着呼）を受け付けることができない場合には、応答ＡＲＪを着側エンドポイントＥＰｄへ送出する。
【００４１】
着側エンドポイントＥＰｄは、ゲートキーパー装置（群）ＧＫｓより応答ＡＣＦを受信した場合には、発側エンドポイントＥＰｃに対して、所定の応答信号（肯定応答）を送出する。
【００４２】
これにより、発側エンドポイントＥＰｃと着側エンドポイントＥＰｄとの間に通信パスが設定され、発側エンドポイントＥＰｃと着側エンドポイントＥＰｄとの間の通信が行われる。
【００４３】
図５および図６は、ＩＰ電話機能を用いて発呼し、送話する場合の処理の一例を示している。
【００４４】
まず、ハンドセットＨＳをユーザが取り上げてフック信号ＳＳがオフフックすることを監視している（判断１０１のＮＯループ）。オフフックを検出して、判断１０１の結果がＹＥＳになると、ＤＳＰ１１よりダイアルトーンを発生させ、そのダイアルトーンをＣＯＤＥＣ１０を介してハンドセットＨＳへ出力する（処理１０２）。これにより、通話のためにハンドセットＨＳを取り上げたユーザは、アナログ公衆回線網ＰＮに接続している電話器と同様に、「ツー」というダイアルトーンを聞くことができる。
【００４５】
その状態で、ユーザが電話番号の入力を終了するまで待つ（判断１０３のＮＯループ）。ここで、電話番号の入力は、操作表示部７のテンキー等（図示略）を用いて行われる。また、テンキー操作の場合には、それぞれのキー操作に応じたＤＴＭＦ信号をＤＳＰ１１より発生させ、ＣＯＤＥＣ１０を介してハンドセットＨＳへ出力し、ユーザが電話番号操作を音で確認できるようにする。
【００４６】
電話番号の入力が終了して、判断１０３の結果がＹＥＳになると、ＤＳＰ１１からのダイアルトーンの出力を停止し（処理１０４）、ゲートキーパー装置ＧＫへ接続し、ＲＡＳ（Ｒｅｇｉｓｔｒａｔｉｏｎ，　Ａｄｍｉｓｓｉｏｎ　ａｎｄＳｔａｔｕｓ）制御により通信実行が可能であると判断した場合には、入力された電話番号を送出して、相手端末のＩＰアドレスを取得する（処理１０５）。
【００４７】
次いで、処理１０５で取得したＩＰアドレスを適用して、相手先へ接続要求する（処理１０６）。この場合、相手先がアナログ公衆回線網ＰＮに接続されている場合には（図１参照）、ＩＴＵ−Ｔ勧告Ｈ．２２５．０に従って、相手先のゲートウェイ装置ＧＷとの間でコネクションを確立した後に、相手先へ接続要求する。
【００４８】
ここで、相手先が接続応答したかどうかを調べ（判断１０７）、相手先が接続応答してこなかった場合で、判断１０７の結果がＮＯになる場合には、ＤＳＰ１１よりビジートーンを発生させ、そのビジートーンをＣＯＤＥＣ１０を介してハンドセットＨＳへ出力する（処理１０８）。
【００４９】
これにより、ユーザは、相手先が話中である旨を知るので、通話をあきらめて、ハンドセットＨＳを元へ戻し、それにより、フック信号ＳＳがオンフック状態となる。
【００５０】
したがって、オンフックを検出するまで待ち（判断１０９のＮＯループ）、オンフックを検出して判断１０９の結果がＹＥＳになると、ＤＳＰ１１からのビジートーンの出力を停止し（処理１１０）、通話処理を終了する。
【００５１】
また、相手先が接続応答した場合で、判断１０７の結果がＹＥＳになるときには、ＤＳＰ１１よりリングバックトーンを発生させ、そのリングバックトーンをＣＯＤＥＣ１０を介してハンドセットＨＳへ出力する（処理１１５）。
【００５２】
そして、相手先の呼出中状態となり（処理１１６）、その状態で、相手先が応答するまで待つ（判断１１７のＮＯループ）。
【００５３】
相手先のユーザが電話に応答した場合で、相手先から応答を受信した場合で、判断１１７の結果がＹＥＳになるときには、ＤＳＰ１１からのリングバックトーンの出力を停止し（処理１１８）、ＩＴＵ−Ｔ勧告Ｈ２４５に準拠した能力交換処理を相手先との間で行い（処理１１９）、自端末のユーザが先にハンドセットＨＳを戻してオンフックを検出するか、あるいは、相手先が先に接続を終了する場合で開放要求を受信するまで、通話処理を行う（処理１２０、判断１２１，１２２のＮＯループ）。
【００５４】
オンフックを検出して判断１２１の結果がＹＥＳになるときには、相手先へ開放要求を通知し（処理１２３）、接続を開放する（処理１２４）。また、相手先より開放要求を受信した場合で、判断１２２の結果がＹＥＳになるときには、処理１２４へ進み、接続を開放する。
【００５５】
図７は、ＩＰ電話の接続要求を受信した場合の処理の一例を示している。
【００５６】
まず、ＩＰ電話機能への接続要求があることを監視しており（判断２０１のＮＯループ）、接続要求を検出して判断２０１の結果がＹＥＳになると、その時点で、応答可能であるかどうかを調べ（判断２０２）、判断２０２の結果がＮＯになるときには、接続ができない旨を応答して（処理２０３）、このときの処理を終了する。
【００５７】
また、接続応答できる場合で、判断２０２の結果がＹＥＳになるときには、接続ＯＫを応答して（処理２０４）、ユーザがハンドセットＨＳを取り上げてオフフックを検出するまで、自端末のユーザを呼び出す動作を行う（処理２０５、判断２０６のＮＯループ）。
【００５８】
オフフックを検出して、判断２６の結果がＹＥＳになると、ＩＴＵ−Ｔ勧告Ｈ２４５に準拠した能力交換処理を相手先との間で行い（処理２０７）、自端末のユーザが先にハンドセットＨＳを戻してオンフックを検出するか、あるいは、相手先が先に接続を終了する場合で開放要求を受信するまで、通話処理を行う（処理２０８、判断２０９，２１０のＮＯループ）。
【００５９】
オンフックを検出して判断２０９の結果がＹＥＳになるときには、相手先へ開放要求を通知し（処理２１１）、接続を開放する（処理２１２）。また、相手先より開放要求を受信した場合で、判断２１０の結果がＹＥＳになるときには、処理２１２へ進み、接続を開放する。
【００６０】
このようにして、本実施例では、ネットワークファクシミリ装置ＦＸにハンドセットＨＳを設け、ＩＰ電話通信に必要な信号変換のためのＣＯＤＥＣ１０を備え、ネットワークファクシミリ装置ＦＸに元々備えられているネットワーク通信手段（ネットワークインターフェイス回路１４、ネットワーク伝送制御部１５）を用いて、ＩＰ電話通信を実現するので、ＩＰ電話通信機能を備えたネットワークファクシミリ装置ＦＸを安価に実現することができる。
【００６１】
ところで、上述した実施例では、ネットワークファクシミリ装置ＦＸは、ＩＰ網ＮＴに接続してネットワークファクシミリ通信機能を備えているが、さらに、アナログ公衆回線網ＰＮに接続して、グループ３ファクシミリ通信機能を備えている場合にも、本発明を適用することができる。
【００６２】
図８は、本発明の他の実施例にかかるネットワークファクシミリ装置ＦＸの一例を示している。なお、同図において、図３と同一部分のおよび相当する部分には、同一符号を付している。
【００６３】
同図において、システム制御部１は、このネットワークファクシミリ装置ＦＸの各部の制御処理、および、ファクシミリ伝送制御手順処理などの各種制御処理を行うものであり、システムメモリ２は、システム制御部１が実行する制御処理プログラムや処理プログラムを実行するときに必要な各種データなどを記憶し、システム制御部１のワークエリアを構成し、さらに、ＩＰ網からハンドセットＨＳへの音声パケットのゆらぎ（到着時間のばらつき）を吸収し、必要なパケット数が揃うようにして音声信号を送り出すゆらぎ吸収バッファを構成するものであり、パラメータメモリ３は、このネットワークファクシミリ装置ＦＸに固有な各種の情報を記憶するためのものであり、時計回路４は、現在時刻情報を出力するものである。
【００６４】
スキャナ５は、所定の解像度で原稿画像を読み取るためのものであり、プロッタ６は、所定の解像度で画像を記録出力するためのものであり、操作表示部７は、このネットワークファクシミリ装置ＦＸを操作するためのもので、各種の操作キー、および、各種の表示器からなる。
【００６５】
符号化復号化部８は、画信号を符号化圧縮するとともに、符号化圧縮されている画情報を元の画信号に復号化するためのものであり、画像蓄積装置９は、符号化圧縮された状態の画情報を多数記憶するためのものである。
【００６６】
グループ３ファクシミリモデム２１は、グループ３ファクシミリのモデム機能を実現するためのものであり、伝送手順信号をやりとりするための低速モデム機能（Ｖ．２１モデム）、および、おもに画情報をやりとりするための高速モデム機能（Ｖ．１７モデム、Ｖ．３４モデム、Ｖ．２９モデム、Ｖ．２７ｔｅｒモデムなど）を備えている。また、このグループ３ファクシミリモデム２１は、回線側のアナログ音声信号と装置側のデジタル信号とを相互変換するためのＣＯＤＥＣ２１ａと、種々のトーン信号等を発生するためのＤＳＰ２１ｂから構成されており、２線／４線変換回路２２を介して、網制御装置２３の装置側入出力端へ接続されている。
【００６７】
網制御装置２３は、ネットワークファクシミリ装置ＦＸをアナログ公衆回線網ＰＮへ接続するためのものであり、自動発着信機能を備えている。
【００６８】
また、ＣＯＤＥＣ２１ａは、ハンドセットＨＳとの間で、ハンドセットＨＳが入出力するアナログ音声信号と、ＩＰ電話機能でやりとりされるデジタル音声信号を相互に変換する機能も備えている。ただし、この場合の音声符号化方式としては、例えば、可逆性のＰＣＭ方式であるＩＴＵ−Ｔ勧告Ｇ．７１１を用い、不可逆な符号化方式であるＣＳ−ＡＣＥＬＰ方式のＩＴＵ−Ｔ勧告Ｇ．７２９は適用しない。
【００６９】
ネットワークインターフェース回路１２は、このネットワークファクシミリ装置ＦＸをＩＰ網ＮＴに接続するためのものであり、ネットワーク伝送制御部１３は、ＩＰ網ＮＴを介して、他のデータ端末装置との間で種々のデータをやりとりするための各種所定のプロトコルスイートの通信制御処理を実行するためのものである。
【００７０】
これらの、システム制御部１、システムメモリ２、パラメータメモリ３、時計回路４、スキャナ５、プロッタ６、操作表示部７、符号化復号化部８、画像蓄積装置９、ＣＯＤＥＣ１０、ＤＳＰ１１、および、ネットワーク伝送制御部１３は、内部バス１４に接続されており、これらの各要素間でのデータのやりとりは、主としてこの内部バス１４を介して行われている。
【００７１】
また、ハンドセットＨＳのフック状態をあらわすフック信号ＳＳは、内部バス１４を介してシステム制御部１へ出力される。
【００７２】
以上の構成で、ＩＰ電話通信を行う場合、グループ３ファクシミリモデム２１のＣＯＤＥＣ２１ａは、ハンドセットＨＳとの接続が有効に設定され、ハンドセットＨＳとの間で、ハンドセットＨＳが入出力するアナログ音声信号と、ＩＰ電話機能でやりとりされるデジタル音声信号を相互に変換する機能を実行する。
【００７３】
それにより、ユーザは、ハンドセットＨＳを用いて、ＩＰ電話通信を行うことができる。
【００７４】
また、それ以外の場合には、ＣＯＤＥＣ２１ａは、グループ３ファクシミリモデム２１のモデム機能を実現するように機能し、グループ３ファクシミリ通信を行うことができる。
【００７５】
このようにして、本実施例では、グループ３ファクシミリモデムのＣＯＤＥＣおよびＤＳＰを利用して、ＩＰ電話通信に使用する音声符号化処理と、ハンドセットＨＳへのトーン発生処理を行わせるようにすることができるので、ＩＰ電話通信のために特別な構成要素を追加することが不要であり、安価にＩＰ電話通信を実現することができる。
【００７６】
図９は、本発明のさらに他の実施例にかかるネットワークファクシミリ装置ＦＸを示している。なお、同図において、図３および図８と同一部分および相当する部分には、同一符号を付している。
【００７７】
同図において、システム制御部１は、このネットワークファクシミリ装置ＦＸの各部の制御処理、および、ファクシミリ伝送制御手順処理などの各種制御処理を行うものであり、システムメモリ２は、システム制御部１が実行する制御処理プログラムや処理プログラムを実行するときに必要な各種データなどを記憶し、システム制御部１のワークエリアを構成し、さらに、ＩＰ網からハンドセットＨＳへの音声パケットのゆらぎ（到着時間のばらつき）を吸収し、必要なパケット数が揃うようにして音声信号を送り出すゆらぎ吸収バッファを構成するものであり、パラメータメモリ３は、このネットワークファクシミリ装置ＦＸに固有な各種の情報を記憶するためのものであり、時計回路４は、現在時刻情報を出力するものである。
【００７８】
スキャナ５は、所定の解像度で原稿画像を読み取るためのものであり、プロッタ６は、所定の解像度で画像を記録出力するためのものであり、操作表示部７は、このネットワークファクシミリ装置ＦＸを操作するためのもので、各種の操作キー、および、各種の表示器からなる。
【００７９】
符号化復号化部８は、画信号を符号化圧縮するとともに、符号化圧縮されている画情報を元の画信号に復号化するためのものであり、画像蓄積装置９は、符号化圧縮された状態の画情報を多数記憶するためのものである。
【００８０】
ＣＯＤＥＣ１０は、ハンドセットＨＳとの間で、ハンドセットＨＳが入出力するアナログ音声信号と、ＩＰ電話機能でやりとりされるデジタル音声信号を相互に変換するものであり、音声符号化方式としては、例えば、ＰＣＭ方式の国際標準であるＩＴＵ−Ｔ勧告Ｇ．７１１，ＣＳ−ＡＣＥＬＰ（Ｃｏｎｊｕｇａｔｅ−Ｓｔｒｕｃｔｕｒｅ　Ａｌｇｅｂｒａｉｃ　Ｃｏｄｅ　Ｅｘｃｉｔｅｄ　Ｌｉｎｅａｒ　Ｐｒｅｄｉｃｔｉｏｎ）方式の国際標準であるＩＴＵ−Ｔ勧告Ｇ．７２９などが適用される。
【００８１】
ＤＳＰ１１は、発呼時の電話番号入力操作の際のＤＴＭＦ（Ｄｕａｌ　Ｔｏｎｅ　Ｍｕｌｔｉ　Ｆｒｅｑｕｅｎｃｙ）信号、および、ダイヤルトーン、リングバックトーン、ビジートーンなどのコールプログレストーンを生成するものであり、それらのＤＴＭＦ信号およびコールプログレストーンは、ＣＯＤＥＣ１０を介してハンドセットＨＳへと出力される。
【００８２】
グループ３ファクシミリモデム２１は、グループ３ファクシミリのモデム機能を実現するためのものであり、伝送手順信号をやりとりするための低速モデム機能（Ｖ．２１モデム）、および、おもに画情報をやりとりするための高速モデム機能（Ｖ．１７モデム、Ｖ．３４モデム、Ｖ．２９モデム、Ｖ．２７ｔｅｒモデムなど）を備えている。また、このグループ３ファクシミリモデム２１は、回線側のアナログ音声信号と装置側のデジタル信号とを相互変換するためのＣＯＤＥＣ２１ａと、種々のトーン信号等を発生するためのＤＳＰ２１ｂから構成されており、２線／４線変換回路２２を介して、網制御装置２３の装置側入出力端へ接続されている。
【００８３】
網制御装置２３は、ネットワークファクシミリ装置ＦＸをアナログ公衆回線網ＰＮへ接続するためのものであり、自動発着信機能を備えている。
【００８４】
また、切換器２５は、ハンドセットＨＳをＣＯＤＥＣ１０、または、グループ３ファクシミリモデム２１と２線／４線変換回路２２との相互接続端のいずれかに切換接続するためのものである。
【００８５】
ネットワークインターフェース回路１２は、このネットワークファクシミリ装置ＦＸをＩＰ網ＮＴに接続するためのものであり、ネットワーク伝送制御部１３は、ＩＰ網ＮＴを介して、他のデータ端末装置との間で種々のデータをやりとりするための各種所定のプロトコルスイートの通信制御処理を実行するためのものである。
【００８６】
これらの、システム制御部１、システムメモリ２、パラメータメモリ３、時計回路４、スキャナ５、プロッタ６、操作表示部７、符号化復号化部８、画像蓄積装置９、ＣＯＤＥＣ１０、ＤＳＰ１１、および、ネットワーク伝送制御部１３は、内部バス１４に接続されており、これらの各要素間でのデータのやりとりは、主としてこの内部バス１４を介して行われている。
【００８７】
また、ハンドセットＨＳのフック状態をあらわすフック信号ＳＳは、内部バス１４を介してシステム制御部１へ出力される。
【００８８】
以上の構成で、ＩＰ電話通信を行う場合、切換器２５は、ハンドセットをＣＯＤＥＣ１０に接続するように、システム制御部１によって制御される。
【００８９】
それにより、ＣＯＤＥＣ１０は、ハンドセットＨＳと接続され、ハンドセットＨＳとの間で、ハンドセットＨＳが入出力するアナログ音声信号と、ＩＰ電話機能でやりとりされるデジタル音声信号を相互に変換する機能を実行する。
【００９０】
それにより、ユーザは、ハンドセットＨＳを用いて、ＩＰ電話通信を行うことができる。
【００９１】
また、それ以外の場合には、システム制御部１は、切換器２５により、ハンドセットＨＳをグループ３ファクシミリモデム２１側へ接続する。
【００９２】
それにより、アナログ公衆回線網ＰＮに接続された他の端末との間で、ハンドセットＨＳを用いて、通話動作を行うことができる。
【００９３】
このようにして、本実施例では、ハンドセットＨＳを用いて、ＩＰ電話通信と、アナログ公衆回線網ＰＮの電話器（図示略）との通話を行うことができ、非常に便利である。
【００９４】
なお、上述した実施例では、ＩＰ電話機能を実現する通信システムとして、ＴＴＣ標準ＪＴ−Ｈ３２３の通信システムを適用した場合について説明したが、それ以外の同等な通信システム、例えば、ＩＥＴＦ既定のＳＩＰ（ＳｅｓｓｉｏｎＩｎｉｔｉａｔｉｏｎ　Ｐｒｏｔｏｃｏｌ）を利用した通信システムについても、同様にして適用することができる。
【００９５】
【発明の効果】
以上説明したように、本発明によれば、ネットワークファクシミリ装置ＦＸにハンドセットＨＳを設け、ＩＰ電話通信に必要な信号変換のためのＣＯＤＥＣを備え、ネットワークファクシミリ装置ＦＸに元々備えられているネットワーク通信手段（ネットワークインターフェイス回路、ネットワーク伝送制御部）を用いて、ＩＰ電話通信を実現するので、ＩＰ電話通信機能を備えたネットワークファクシミリ装置ＦＸを安価に実現することができるという効果を得る。
【図面の簡単な説明】
【図１】本発明の一実施例にかかる通信システムの一例を示したブロック図。
【図２】本発明の一実施例にかかる通信システムの他の例を示したブロック図。
【図３】ネットワークファクシミリ装置ＦＸの構成例を示したブロック図。
【図４】ゲートキーパー装置を用いて端末装置の呼制御を行う場合の手順の一例を示した概略図。
【図５】ＩＰ電話機能を用いて発呼し、送話する場合の処理の一例を示したフローチャート。
【図６】ＩＰ電話機能を用いて発呼し、送話する場合の処理の一例を示したフローチャート（続き）。
【図７】ＩＰ電話の接続要求を受信した場合の処理の一例を示したフローチャート。
【図８】本発明の他の実施例にかかるネットワークファクシミリ装置ＦＸの一例を示したブロック図。
【図９】本発明のさらに他の実施例にかかるネットワークファクシミリ装置ＦＸの一例を示したブロック図。
【符号の説明】
ＦＸ，ＦＸ１〜ＦＸｍ　ネットワークファクシミリ装置
ＨＳ，ＨＳ１〜ＨＳｍ　ハンドセット
１０，２１ａ　ＣＯＤＥＣ
１１，２１ｂ　ＤＳＰ
【図１】
2004147244.tif 000003
【図２】
2004147244.tif 000004
【図３】
2004147244.tif 000005
【図４】
2004147244.tif 000006
【図５】
2004147244.tif 000007
【図６】
2004147244.tif 000008
【図７】
2004147244.tif 000009
【図８】
2004147244.tif 000010
【図９】
2004147244.tif 000011